(57)【要約】【課題】コンパクトに収納することができるとともに、手袋の形を保持し、濡れた手袋を好適に乾燥させることが可能な手袋保形具を提供する。【解決手段】手袋の内部に挿入され、手袋を保持する手袋保形具１であって、手袋の掌部を支持する支持プレート２と、手袋の人差し指部を支持する人差し指支持片３１と、手袋の中指部を支持する中指支持片３２と、手袋の薬指部を支持する薬指支持片３３と、手袋の小指部を支持する小指支持片３４と、を備え、これら人差し指支持片３１、中指支持片３２、薬指支持片３３、小指支持片３４は、支持プレート２に着脱可能に取り付けられるとともに、手袋の親指部を支持する親指支持片４が、人差し指支持片３１に着脱可能に取り付けられる。【選択図】  図１
2005160966.tif 000002
【特許請求の範囲】
【請求項１】
手袋の内部に挿入され、手袋を保持する手袋保形具であって、
手袋の掌部を支持する支持プレートと、手袋の人差し指部を支持する人差し指支持片と、手袋の中指部を支持する中指支持片と、手袋の薬指部を支持する薬指支持片と、手袋の小指部を支持する小指支持片と、を備え、
これら人差し指支持片、中指支持片、薬指支持片、小指支持片は、支持プレートに着脱可能に取り付けられるとともに、手袋の親指部を支持する親指支持片が、人差し指支持片に着脱可能に取り付けられることを特徴とする手袋保形具。
【請求項２】
前記人差し指支持片、中指支持片、薬指支持片、小指支持片が支持プレートに、人差し指支持片、中指支持片、薬指支持片、小指支持片の各表面を含む平面が、支持プレートの表面を含む平面と交差するように取り付けられることを特徴とする請求項１記載の手袋保形具。
【請求項３】
前記人差し指支持片、中指支持片、薬指支持片、小指支持片が支持プレートに、人差し指支持片、中指支持片、薬指支持片、小指支持片の各表面を含む平面が、支持プレートの表面を含む平面と平行となるように取り付けられるとともに、人差し指支持片、中指支持片、薬指支持片、小指支持片にそれぞれ突部が形成されていることを特徴とする請求項１記載の手袋保形具。
【請求項４】
ミトンの内部に挿入され、ミトンを保持する手袋保形具であって、
ミトンの掌部を支持する支持プレートと、人差し指、中指、薬指、小指を入れるミトンの四指包囲部を支持する四指支持片と、を備え、
四指支持片は、支持プレートに着脱可能に取り付けられるとともに、ミトンの親指部を支持する親指支持片が、四指支持片の人差し指に対応する部位に着脱可能に取り付けられることを特徴とする手袋保形具。
【請求項５】
前記支持プレートには、吊下げ手段が設けられていることを特徴とする請求項１または４記載の手袋保形具。
【発明の詳細な説明】
【技術分野】
【０００１】
本発明は、ゴルフ用手袋やスキー用手袋など種々の手袋の形を保持し、濡れた手袋を乾燥させるのに適した手袋保形具に関する。
【背景技術】
【０００２】
ゴルフ用手袋では、使用しないときに、丸めてポケットに押込むことが多いが、このような場合、次に使用するときに手袋を広げにくく、手を嵌めるのが困難であったり、汗や雨水で濡れているために不快感が生じやすい。また、ポケットに押込んだまま放置すると、汗等の水分を吸収して手袋が硬化したり、変形することがある。
【０００３】
また、一般に、汗等で濡れた手袋や洗濯した手袋を乾燥させる場合、手袋の基端部を洗濯挟みで挟んで吊下げたり、棒状体に手袋を差し込む等の方法を採っている。しかし、手袋を単に吊下げたり、棒状体に差し込むだけでは、手袋内の通気性が良くないために、乾くまでに長い時間を要する。また、吊下げ等した状態のまま乾いてしまうことにより、手袋が変形してしまうこともある。
【０００４】
このため、手袋の形を保持して乾燥させるための手袋保形具が、従来から提供されている（例えば、特許文献１、２、３参照。）。
【０００５】
例えば、特許文献１には、親指を除く四指部と掌部とを、ほぼ偏平に針金で形成し、別体の針金で形成した親指部を回動自在に取り付けた手袋乾燥器が記載されており、生地の縮みを防止して手袋を乾燥させることができ、また親指部を回動することで折り畳んで保管することができるものである。
【０００６】
特許文献２には、手の形に形成したプラスチック製の支持プレートに空気孔を形成し、支持プレートの一端にフックを取り付けたゴルフ手袋保存具が記載されており、手袋の変形を防止するとともに通気性を高めて早く乾燥させるものである。
【０００７】
特許文献３には、親指を除く４本指用保型片の周縁にリブを設け、この４本指用保型片を掌部に突設した平板状の保型具本体と、この保型具本体の手首位置に設けた支持ピンに左右回動自在に取り付けた親指保型片と、からなる手袋の保型具が記載されており、簡略な構成で安価に提供でき、左右兼用であるとともに、通気性を高めて手袋を早く乾燥させることができるものである。
【特許文献１】実公昭３０−５８００号公報
【特許文献２】実開昭４９−３８４３７号公報
【特許文献３】実公平７−２４１３５号公報
【発明の開示】
【発明が解決しようとする課題】
【０００８】
しかしながら、上記した特許文献１に記載の手袋乾燥器では、親指部を折り畳んで、保管を容易にすることができるが、親指部を除いた大きさになるに止まり、依然として掌部と四指部の大きさを有し、相当な保管スペースを要している。また、針金で偏平に形成されているので、この手袋乾燥器を手袋に挿入した場合、手袋が膨らまないので、乾くまでに長い時間要するといった問題点があった。
【０００９】
特許文献２に記載のゴルフ手袋保存具では、手を広げた形の大きさから小さくすることができないので、保管時には嵩張ってしまう。また、空気孔は、掌部にのみ形成されており、指部においては、支持プレートによって通気が遮られてしまうので、乾くまでになお相当の時間を要する。
【００１０】
特許文献３に記載の手袋の保型具では、親指保型片がスライド移動するものの、手を広げた形の大きさから小さくすることができないので、保管時には嵩張ってしまう。また、周縁にリブが形成されているので、リブ幅だけは、手袋が膨らんだ状態となり、通気孔およびスライド溝と相俟って、通気性は若干向上するものの、手袋が十分には膨らまないので、乾くまでには、なお相当の時間を要するものとなっている。
【００１１】
本発明は、このような事情に鑑み創案されたもので、コンパクトに収納することができるとともに、手袋の形を保持し、濡れた手袋を好適に乾燥させることが可能な手袋保形具を提供するものである。
【課題を解決するための手段】
【００１２】
上記の目的を達成するため、本発明に係る手袋保形具は、手袋の内部に挿入され、手袋を保持する手袋保形具であって、手袋の掌部を支持する支持プレートと、手袋の人差し指部を支持する人差し指支持片と、手袋の中指部を支持する中指支持片と、手袋の薬指部を支持する薬指支持片と、手袋の小指部を支持する小指支持片と、を備え、これら人差し指支持片、中指支持片、薬指支持片、小指支持片は、支持プレートに着脱可能に取り付けられるとともに、手袋の親指部を支持する親指支持片が、人差し指支持片に着脱可能に取り付けられることを特徴とする。
【００１３】
この発明によれば、支持プレート、人差し指支持片、中指支持片、薬指支持片、小指支持片、および親指支持片により、手袋の掌部、人差し指部、中指部、薬指部、小指部、および親指部を内側から支持するので、手袋内に挿入することで、手袋の形くずれを防ぎながら乾燥させることができる。また、人差し指支持片、中指支持片、薬指支持片、小指支持片が支持プレートに着脱可能であり、かつ、親指支持片が人差し指支持片に着脱可能とされているので、手袋保形具の不使用時には、人差し指支持片、中指支持片、薬指支持片、小指支持片を支持プレートから取り外し、かつ親指支持片を人差し指支持片から取り外すことにより、コンパクトにして、少ないスペースで保管することができる。
【００１４】
本発明は、前記人差し指支持片、中指支持片、薬指支持片、小指支持片が支持プレートに、人差し指支持片、中指支持片、薬指支持片、小指支持片の各表面を含む平面が、支持プレートの表面を含む平面と交差するように取り付けられることを特徴とする。
【００１５】
この発明によれば、人差し指支持片、中指支持片、薬指支持片、小指支持片の表面を含む平面が支持プレートの表面を含む平面と交差しているので、手袋の人差し指部、中指部、薬指部、小指部を膨らんだ状態で支持することができる。したがって、手袋内に手袋保形具を挿入した場合、手袋内の通気性が良くなり、短時間で乾かすことができる。
【００１６】
本発明は、前記人差し指支持片、中指支持片、薬指支持片、小指支持片が支持プレートに、人差し指支持片、中指支持片、薬指支持片、小指支持片の各表面を含む平面が、支持プレートの表面を含む平面と平行となるように取り付けられるとともに、人差し指支持片、中指支持片、薬指支持片、小指支持片にそれぞれ突部が形成されていることを特徴とする。
【００１７】
この発明によれば、突部により手袋の人差し指部、中指部、薬指部、小指部を膨らんだ状態で支持することができる。したがって、手袋内に手袋保形具を挿入した場合、手袋内の通気性が良くなり、短時間で乾かすことができる。
【００１８】
本発明は、ミトンの内部に挿入され、ミトンを保持する手袋保形具であって、ミトンの掌部を支持する支持プレートと、人差し指、中指、薬指、小指を入れるミトンの四指包囲部を支持する四指支持片と、を備え、四指支持片は、支持プレートに着脱可能に取り付けられるとともに、手袋の親指部を支持する親指支持片が、四指支持片の人差し指に対応する部位に着脱可能に取り付けられることを特徴とする。
【００１９】
この発明によれば、手袋保形具の不使用時には、四指支持片を支持プレートから取り外すとともに、親指支持片を四指支持片から取り外すことによりコンパクトにして、少ないスペースで保管することができる。
【００２０】
本発明は、上記構成の手袋保形具において、前記支持プレートには、吊下げ手段が設けられていることを特徴とする。
【００２１】
この発明によれば、吊下げ手段により、手袋を挿入して物干し竿等に吊下げて乾燥させたり、ゴルフバッグ等に吊下げて手袋の形状を保持しながら携行することができる。
【発明の効果】
【００２２】
本発明に係る手袋保形具によれば、種々の手袋の形を保持し、好適に乾燥させることができ、また、少ないスペースで保管することができる。
【発明を実施するための最良の形態】
【００２３】
以下、本発明の実施の形態について図を参照して説明する。
【実施例１】
【００２４】
図１乃至図３には、本発明の手袋保形具１の第１実施例が示されている。
【００２５】
この手袋保形具１は、手袋の掌部を支持する支持プレート２と、この支持プレート２に着脱可能に取り付けられ、手袋の人差し指部、中指部、薬指部、および小指部をそれぞれ支持する人差し指支持片３１、中指支持片３２、薬指支持片３３、小指支持片３４と、人差し指支持片３１に着脱可能に取り付けられ、手袋の親指部を支持する親指支持片４と、からなっている。
【００２６】
支持プレート２は、手袋の掌部に相当する大きさの薄板であって、上端縁から下部に向かって平行に４個所の嵌合溝２ａ，２ｂ，２ｃ，２ｄが形成されている。また、支持プレート２の下端部には、挿通孔２０が形成されており、この挿通孔２０に挿通されたリング５を介して、係着部材６が取り付けられており、この係着部材６をゴルフバッグ等に取り付けて手袋保形具１を吊下げ可能としている。
【００２７】
なお、係着部材６は、本実施例では、なすかんが用いられているが、これに限定されるものではなく、例えば、フックであってもよい。
【００２８】
人差し指支持片３１、中指支持片３２、薬指支持片３３、小指支持片３４は、下部が楕円形状で上部が細幅とされた薄板であって、中指支持片３２、薬指支持片３３、人差し指支持片３１、小指支持片３４の順に小さくなる略相似形の薄板で形成されている。ただし、各支持片３１、３２、３３、３４の大きさは上記したものに限定されず、例えば、人差し指支持片３１と薬指支持片３３とは同じ大きさであってもよい。
【００２９】
また、各支持片３１、３２、３３、３４の下部には、下端縁から上部に向かって、支持プレート２の嵌合溝２ａ，２ｂ，２ｃ，２ｄに嵌合される嵌合溝３１ａ，３２ａ，３３ａ，３４ａが形成されており、対応するそれぞれの嵌合溝に嵌め込むことにより、各支持片３１、３２、３３、３４の表面を含む平面が支持プレート２の表面を含む平面と直交するように取り付けられる。また、各支持片３１、３２、３３、３４を嵌合溝２ａ，２ｂ，２ｃ，２ｄからそれぞれ引き出すことにより、支持プレート２から取り外すことができる。
【００３０】
なお、本実施例では、支持プレート２の表面を含む平面と各支持片３１、３２、３３、３４の表面を含む平面とが直交しているが、９０度以外の角度をなすように交差していてもよい。
【００３１】
さらに、人差し指支持片３１には、後述する親指支持片４の嵌合溝４ａと嵌合する嵌合溝３1 ｂが形成されている。
【００３２】
親指支持片４は、手袋の親指部を支持するものであって、小指支持片３４よりも小さい略相似形状の薄板で形成されている。また、親指支持片４の下部にも下端縁から上部に向って、人差し指支持片３１の嵌合溝３１ｂに嵌合する嵌合溝４ａが形成されており、人差し指支持片３１に着脱可能とされている。
【００３３】
次に上記構成の手袋保形具１の使用方法について、説明する。
【００３４】
流通過程において手袋保形具１は、支持プレート２、人差し指支持片３１、中指支持片３２、薬指支持片３３、小指支持片３４、および親指支持片４にそれぞれ分離された状態で、平板状にコンパクトに包装される。
【００３５】
使用者は、まず、人差し指支持片３１、中指支持片３２、薬指支持片３３、小指支持片３４を、支持プレート２の対応する嵌合溝２ａ，２ｂ，２ｃ，２ｄに嵌合させ、各支持片３１、３２、３３、３４の表面を含む平面と支持プレート２の表面を含む平面とが直交するように、支持片３１、３２、３３、３４を支持プレート２に取り付ける。
【００３６】
次いで、親指支持片４を人差し指支持片３１の嵌合溝３１ｂに嵌合させて、手袋保形具１を組み立てる。この組み立てられた手袋保形具１は、人間の手の指に対応する形状となる。
【００３７】
なお、図１に記載された手袋保形具１は左右の手袋のうち、右手用の手袋に対応しているが、左手用の手袋に対応した手袋保形具１を組み立てる場合は、人差し指支持片３１の表裏が反転するように、嵌合溝３１ａを支持プレート２の嵌合溝２ａに嵌合させればよいことから、手袋保形具１は、左右兼用とすることができる。
【００３８】
このようにして組み立てた手袋保形具１を濡れた手袋内に挿入する。この際、各支持片３１、３２、３３、３４の表面を含む平面が支持プレート２の表面を含む平面と直交しているので、手袋の各指部は膨らんだ状態で保持され、通気性がよい。
【００３９】
次いで、係着部材６をゴルフバッグに引っ掛けて携行したり、ハンガー等を介して物干し竿に掛けて、手袋等を好適に乾燥させることができる。
【００４０】
そして、手袋等が乾燥して、手袋保形具１を使用しないときは、手袋を手袋保形具１から取り外し、支持プレート２、人差し指支持片３１、中指支持片３２、薬指支持片３３、小指支持片３４、および親指支持片４をそれぞれ分離し、コンパクトに保管することができる。
【００４１】
以上、本発明の手袋保形具１の１実施例について、５本指の手袋に使用する場合について説明したが、この手袋保形具１は、人差し指、中指、薬指、小指が一体に包囲されたスキー用や子ども用のミトンに対して使用することもできる。また、このようなミトンに使用する場合、例えば、支持プレート２から中指支持片３２と薬指支持片３３を取り外し、人差し指支持片３１、小指支持片３４と親指支持片４を装着して使用してもよい。
【００４２】
なお、人差し指支持片３１、中指支持片３２、薬指支持片３３、小指支持片３４にそれぞれ符号を付すとともに、支持プレート２の各嵌合溝２ａ，２ｂ，２ｃ，２ｄの近傍に、対応する支持片の符号をそれぞれ付し、かつ、親指支持片４と人差し指支持片３１の嵌合溝３１ｂの近傍に同一符号を付して支持片と嵌合溝との対応関係が一目で判別できるようにしてもよい。例えば、図４に示すように、小指支持片３４の符号を１として、小指支持片３４に「１」の数字を付すとともに、支持プレート２の嵌合溝２ｄの近傍に「１」の数字を付すようにする。そして、順に、薬指支持片３３を「２」、中指支持片３２を「３」、人差し指支持片３１を「４」といった具合に、各支持片３１、３２、３３、３４に「４」、「３」、「２」、「１」の数字を付すとともに、支持プレート２のそれぞれ対応する嵌合溝２ａ，２ｂ，２ｃ，２ｄの近傍に「４」、「３」、「２」、「１」の数字を付す。さらに、親指支持片４に「５」の数字を付すとともに、人差し指支持片３１の嵌合溝３１ｂの近傍に「５」の数字を付す。このようにすると、手袋保形具１の組立て時に、同符号のものを順次嵌め込めばよいので、組立て作業が容易になる。
【００４３】
また、図５に示すように、各支持片３１、３２、３３、３４、４の上端部に、挿通孔３０ａ，３０ｂ，３０ｃ，３０ｄ，４０を穿孔し、支持プレート２の係着部材６に挿通して、手袋保形具１の不使用時には、各支持片３１、３２、３３、３４、４と支持プレート２とを一つにまとめて、紛失を防止するようにしてもよい。
【００４４】
さらに、支持プレート２、各支持片３１、３２、３３、３４、４に、図５に示すような通気孔Ａをそれぞれ形成してもよい。この場合、手袋を手袋保形具１に挿入した場合、より一層通気性が高まり、より短時間で乾燥させることが可能になる。
【実施例２】
【００４５】
図６および図７には、本発明の手袋保形具１の第２実施例が示されている。
【００４６】
この実施例は、上記した第１実施例と、支持プレート２と人差し指支持片３１、中指支持片３２、薬指支持片３３、小指支持片３４、および人差し指支持片３１と親指支持片４の着脱手段が異なり、それに伴って、支持プレート２、各支持片３１、３２、３３、３４，４の形状が異なるものであって、異なる構成についてのみ説明し、同一構成についての説明は省略する。
【００４７】
支持プレート２には、後述する人差し指支持片３１、中指支持片３２、薬指支持片３３、小指支持片３４のホック３１ｘ，３２ｘ，３３ｘ，３４ｘと雌雄嵌合するホック２ｅ，２ｆ，２ｇ，２ｈが、２個ずつ４個所に取り付けられている。
【００４８】
各支持片３１、３２、３３、３４は、図５に示すように、中指支持片３２、薬指支持片３３、人差し指支持片３１、小指支持片３４の順に小さくなる、長円形の薄板で形成されている。また、各支持片３１、３２、３３、３４には、支持プレート２に取り付けれたホック２ｅ，２ｆ，２ｇ，２ｈと雌雄嵌合するホック３１ｘ，３２ｘ，３３ｘ，３４ｘがそれぞれ２個ずつ取り付けられている（図７参照）。
【００４９】
また、人差し指支持片３１と親指支持片４には、互いに雌雄嵌合するホック３１ｙ，４ｘが２個ずつ取り付けられている。
【００５０】
次に上記構成の手袋保形具１の使用方法について、説明する。
【００５１】
流通過程において手袋保形具１は、支持プレート２、人差し指支持片３１、中指支持片３２、薬指支持片３３、小指支持片３４、および親指支持片４にそれぞれ分離された状態で、平板状にコンパクトに包装される。
【００５２】
使用者は、まず、人差し指支持片３１、中指支持片３２、薬指支持片３３、小指支持片３４のホック３１ｘ、３２ｘ、３３ｘ、３４ｘと、支持プレート２のホック２ｅ，２ｆ，２ｇ，２ｈとを雌雄嵌合して、支持プレート２に支持片３１、３２、３３、３４を各表面を含む平面がそれぞれ平行になるように取り付ける。
【００５３】
次いで、親指支持片４のホック４ｘと人差し指支持片３１ホック３１ｙとを雌雄嵌合して取り付け、手袋保形具１を組み立てる。
【００５４】
なお、この組み立てた形状のまま、手袋保形具１の表裏を反転させると左右いずれの手袋にも挿入することができるので、手袋保形具１は、左右兼用とすることができる。
【００５５】
このようにして組み立てた手袋保形具１を濡れた手袋内に挿入する。
【００５６】
次いで、係着部材６をゴルフバッグに引っ掛けて携行したり、ハンガー等を介して物干し竿に掛けて、手袋等を好適に乾燥させることができる。
【００５７】
そして、手袋等が乾燥して、手袋保形具１を使用しないときは、手袋を手袋保形具１から取り外し、各ホックの雌雄嵌合を解除して、支持プレート２、各支持片３１、３２、３３、３４、４をそれぞれ分離し、コンパクトに保管することができる。
【００５８】
なお、人差し指支持片３１、中指支持片３２、薬指支持片３３、小指支持片３４には、図８（ａ）に示すように各支持片３１，３２，３３，３４に突部Ｂを設けてもよい。この突部Ｂは、各支持片３１、３２、３３、３４の中央部に設けているが（図８（ｂ）参照）、中央部に限られるものではなく、例えば、各支持片３１、３２、３３、３４の周縁部に設けてもよい。この場合、手袋保形具１を手袋内に挿入すると、突部Ｂにより、手袋が膨らんだ状態で保持されるので、通気性が高まり、短時間で乾燥させることが可能になる。
【００５９】
また、人差し指支持片３１、中指支持片３２、薬指支持片３３、小指支持片３４には、図９に示すように通気孔Ｃを形成してもよい。この場合、手袋保形具１を手袋内に挿入した場合、通気性が高まり、短時間で乾燥させることが可能になる。
【００６０】
一方、図１０に示すように、人差し指、中指、薬指、小指を入れる手袋の四指包囲部を支持する四指支持片３を薄板で一体に形成してもよい。この手袋保形具１は、スキー用や子ども用のミトンに好適である。この場合、支持プレート２には、ホック２ｉが取り付けられ、四指支持片３には、このホック２ｉと雌雄嵌合するホック３ｘ、および親指支持片４に取り付けられたホック４ｙと雌雄嵌合するホック３ｙが取り付けられている。また、四指支持片３に突部を形成して、手袋を挿入した場合に手袋を膨らんだ状態で支持して、通気性を高めるようにしてもよい（図示省略）。さらに、通気孔を形成して、より一層通気性を高めるようにしてもよい（図示省略）。
【００６１】
また、本実施例では、支持プレート２と各支持片３１、３２、３３、３４、および人差し指支持片３１と親指支持片４との着脱手段としてホックを用いているが、ホックに限らず、例えば面ファスナーを用いて着脱可能としてもよい。
【産業上の利用可能性】
【００６２】
本発明は、種々の手袋、例えばゴルフ用手袋、スキー用手袋、防寒用手袋のほか、軍手、ガーデニング用手袋、炊事用手袋などの形状を保持して乾燥させるために適用できる。
【図面の簡単な説明】
【００６３】
【図１】本発明に係る手袋保形具の第１実施例を示す斜視図である。
【図２】図１の手袋保形具の各部分を分離して示す平面図である。
【図３】図１の手袋保形具を示す正面図である。
【図４】図１の手袋保形具の変形例の各部分を分離して示す平面図である。
【図５】図１の手袋保形具の変形例の各部分を分離して示す平面図である。
【図６】本発明に係る手袋保形具の第２実施例を示す平面図である。
【図７】図６の手袋保形具の各部分を分離して示す平面図である。
【図８】図６の手袋保形具の変形例を示す平面図、およびその一部を示す側面図である。
【図９】図６の手袋保形具の変形例を示す平面図である。
【図１０】図６の手袋保形具の変形例を示す平面図である。
【符号の説明】
【００６４】
１      手袋保形具
２      支持プレート
３１    人差し指支持片
３２    中指支持片
３３    薬指支持片
３４    小指支持片
３      四指支持片
４      親指支持片
【図１】
2005160966.tif 000003
【図２】
2005160966.tif 000004
【図３】
2005160966.tif 000005
【図４】
2005160966.tif 000006
【図５】
2005160966.tif 000007
【図６】
2005160966.tif 000008
【図７】
2005160966.tif 000009
【図８】
2005160966.tif 000010
【図９】
2005160966.tif 000011
【図１０】
2005160966.tif 000012